(57)【要約】  光源を伴う少なくとも１つの送信機を有する送信デバイス（２）及び少なくとも１つの受信機を有する受信デバイス（３）からなる距離センサを備え、また電子ユニットを備えるセンサ装置（１７）が提案される。電子ユニットは、送信機によって光を放出するように構成され、送信機によって放出される光によってカバーされる、監視領域内の対象物の反射表面から各受信機までの、距離を確定するように構成されている。本発明によれば、光を送出する光ガイド手段（１８〜２３）は、送信デバイス（２）と監視領域との間、及び／又は監視領域と受信デバイス（３）との間に配置され、光ガイド手段は、送信デバイス（２）から監視領域まで、及び／又は監視領域から受信デバイス（３）まで、曲がった経路を光が通過できるように、光を少なくとも１回反射させる。
2012509470.tif 000002
【特許請求の範囲】
【請求項１】
センサ装置（１７，３１）であって、光源を伴う少なくとも１つの送信機を有する送信デバイス（２）および少なくとも１つの受信機を有する受信デバイス（３）からなる距離センサ（１，３２）を備え、電子ユニットであって、前記送信機の手段によって光を放出するように構成され、前記送信機によって放出される光によってカバーされる監視領域内の対象物の反射表面から各受信機までの距離を確定するように構成されている電子ユニットを備え、光を送出する光ガイド手段（１８〜２３；３５、３６、４０）は、前記送信デバイス（２）と前記監視領域との間、および／または、前記監視領域と前記受信デバイス（３）との間に配置され、前記光ガイド手段は、曲がった経路を前記送信デバイス（２）から前記監視領域まで、および／または、前記監視領域から前記受信デバイス（３）まで前記光が通過できるように、前記光を少なくとも１回反射させることを特徴とする装置。
【請求項２】
複数の光学的に分離した監視領域が設けられ、前記光ガイド手段が、前記送信デバイスから少なくとも１つの監視領域内に光を導き、および／または、少なくとも１つの監視領域から前記受信デバイスに光を誘導するように構成されることを特徴とする請求項１に記載の装置。
【請求項３】
前記光ガイド手段は、ＴＩＲ（全反射）レンズを備えることを特徴とする請求項１または２に記載の装置。
【請求項４】
送信機および受信機の独立制御のための制御ユニットが設けられることを特徴とする請求項１から３のいずれか１項に記載の装置。
【請求項５】
前記光ガイド手段（１８〜２３；３５、３６、４０）は、同じ光ガイド要素が、前記送信デバイス（２）から前記監視領域まで、および、前記監視領域から前記受信デバイス（３）まで光を送出するように構成されることを特徴とする請求項１から４のいずれか１項に記載の装置。
【請求項６】
複数の光ガイドは束になるように結合されることを特徴とする請求項１から５のいずれか１項に記載の装置。
【請求項７】
前記光ガイド手段は、前記監視区域の光ガイド要素を介して、前記送信デバイス（２）からの光が、光を前記受信デバイス（３）に運び戻す光ガイド要素に直接当たるように配置されることを特徴とする請求項１から６のいずれか１項に記載の装置。
【請求項８】
送信光および受信光のための光ガイド要素は、ヘッド部（２４，２５，３７，３８，４１）に導かれることを特徴とする請求項１から７のいずれか１項に記載の装置。
【請求項９】
前記ヘッド部（２４，２５，３７，３８，４１）は、電子部品を備えることを特徴とする請求項１から８のいずれか１項に記載の装置。
【請求項１０】
配向手段は、送信光と受信光とのアライメントが、ヘッド部において明らかに異なるように設けられることを特徴とする請求項１から９のいずれか１項に記載の装置。
【請求項１１】
受信光の光強度および／または測定距離が、所定の閾値を下回るかまたは所定の閾値を上回ると、所定の手段を講じるように構成されることを特徴とする請求項１から１０のいずれか１項に記載の装置。
【請求項１２】
光ガイド手段（１８〜２３；３５、３６、４０）の長さを自動的に確定することが可能であることを特徴とする請求項１から１１のいずれか１項に記載の装置。
【請求項１３】
光ガイドの前記端部にマイクロレンズが設けられることを特徴とする請求項１から１２のいずれか１項に記載の装置。
【請求項１４】
前記光源は、比較的小さな放射角度を有することを特徴とする請求項１から１３のいずれか１項に記載の装置。
【請求項１５】
異なる周波数に関し、異なる周波数の放射光の比較に基づき、そのような色、および／または対象物によって再帰反射される光の評価に基づき、前記監視領域内の対象物に関連する色情報項目を取得するための手段が設けられることを特徴とする請求項１から１４のいずれか１項に記載の装置。
【発明の詳細な説明】
【発明の詳細な説明】
【０００１】
種々の対象物までの距離を検出することが、多くの用途で必要である。こうした対象物が空間的に離れている場合、距離センサが、各対象物について必要とされる。
［本発明の目的及び利点］
距離測定システムを改善することが本発明の目的である。
【０００２】
この目的は、請求項１の特徴によって達成される。有利な発展は、従属請求項に明記される。
本発明は、センサ装置に関し、センサ装置は、光源を伴う少なくとも１つの送信機を有する送信デバイスおよび少なくとも１つの受信機を有する受信デバイスからなる距離センサを備え、また、電子ユニットを備える。電子ユニットは送信機の手段によって光を放出するように構成され、送信機によって放出される光によってカバーされる、監視領域内の対象物の反射表面から各受信機までの距離を確定するように構成されている。距離測定は、たとえば、光の飛行時間および／または光について変調された振動の位相を評価することによってなされ得る。こうしたセンサはまた、「飛行時間（Ｔｉｍｅ  ｏｆ  Ｆｌｉｇｈｔ）」センサ（ＴＯＦセンサ）として示される。
【０００３】
本発明の本質は、実際のところ、光を送出する光ガイド手段が、送信デバイスと監視領域との間、および／または、監視領域と受信デバイスとの間に配置され、光ガイド手段が、曲がった経路（ａｎｇｌｅｄ  ｐａｔｈ）、特に、たとえば光ファイバに基づく、既知の光ガイドの場合などにおいて多重に曲がった経路(ｍｕｌｔｉｐｌｙ ａｎｇｌｅｄ  ｐａｔｈ）上を、送信デバイスから監視領域まで、および／または、監視領域から受信デバイスまで光が通過できるように、光を少なくとも１回反射させることにある。ファイバ光学光ガイドの場合、特にその外形の点で湾曲経路を議論することも可能である。基本的には、反射は、鏡面反射および／または全反射による反射を含み得る。ファイバ光学に基づく光ガイドに関して、たとえばガラスファイバを曲げると、ガラスファイバの外側境界面で、光信号の複数の全反射が存在する。しかし、光の曲がった経路、特に多重に曲がった経路をなすために、１つまたは複数の反射体またはプリズム要素を適用することも可能である。
【０００４】
曲がった経路上で光を導く手順は、複数の分離した領域が監視されており、光ガイド手段がなくては受信デバイスが全ての分離した領域を見ることができないときはいつでも、および／または、光ガイド手段がなくては送信デバイスが全ての分離した監視領域を光で照射できないときはいつでも特に有利である。そして、光ガイド手段は、光を戻すため、および直接経路上で、光学的に完全に分離された領域からの光で対象物を照射するために使用され得る。
【０００５】
特に空間的に細分された、比較的大きい領域が監視されるときでさえ、この対策のおかげで、光がたとえば中央ユニットから各監視区域まで光ガイド手段によって送出され得るように、たとえばＴＯＦチップ、電源、および／またはマイクロコントローラなどのセンサ装置の高価な部品についてのオン−オフ要求だけが存在する。監視区域にて反射される光は、光ガイド手段を介して進んで、中央ユニットに戻り得る。光ガイド手段を介して光が各監視区域に「もたらされる（ｂｒｏｕｇｈｔ）」限り、対象物上に作用する光の強度は、比較的高い。同様に、監視区域にて再帰反射される光は、光ガイド手段を介して進んで受信デバイスに戻るとき、損失による影響はほとんどない。通常大いに起こる散乱損失は、それにより通常回避され得る。
【０００６】
基本的には、本発明の手順は、測定が実施される区域に距離センサが位置する必要がないという利点を有する。それにより、比較的小さくかつアクセスすることが難しい領域を監視することも可能である。こうしたシステムは、たとえば自動販売機で使用され得る。別個の格納スロット内の製品の数は、こうした自動販売機内の距離測定によって検出され得る。
【０００７】
監視区域における対象物に関連する情報を取得するために、対象物、たとえば自動販売機内の製品によって再帰反射される光は、色に基づき評価され得る。光は、送信デバイスによって種々の周波数、すなわち種々の色で放出されて、監視領域内の対象物に関連する色情報項目が取得される。たとえば、対象物は、１つの色の光で照射され、反射光が、さらに検出される。同じことが、別の色について起こる。再帰反射される光強度に応じて、色（それに対し対象物が割当てられる）がそこから推定され得る。製品はこうして識別され得る。対象物を白色光で照射し、受信デバイスにおいて反射周波数帯域を少なくとも部分的に評価することも考えられる。異なる色で同時にまたは順次に対象物を照射することは、可視領域で起こる必要はない。不可視光を使用することも可能である。
【０００８】
光ガイド手段は、規則的にその光ガイドの容積内に光を送出する。ガラスファイバ送信手段および／またはガラスファイバ光ガイドが、たとえば使用され得る。
本発明の特に好ましい改良形態では、距離センサは、１つだけの受信機と複数の送信機とを備え、または１つだけの送信機と複数の受信機とを備える。
【０００９】
費用に対して効果的なセンサ装置が、それにより構築され得る。しかし、互いから離間した種々の監視領域を監視することが可能である。
さらに、送信機および受信機の独立した制御を可能にする制御ユニットを設けることが好ましい。
【００１０】
個々の制御が用いられることができ、受信機と送信機との間における一意的な対応がもたらされ得る。たとえばどの光源が光を放出したかが既知の場合、受信デバイスに光を送出する光ガイド手段の全てが１つだけの受信機につながるときでも、監視される対象物に対する一意的な対応がもたらされ得る。
【００１１】
さらに、１つの同じ光ガイド要素が、送信デバイスから監視領域内に、また、監視領域から受信デバイス内に光を送出するように光ガイド手段が構成されると好ましい。それにより、光ガイド手段の設計にかかる経費が低減され得る。
【００１２】
複数の光ガイドは、たとえば光ガイド要素を形成するために、好ましくは束になるように結合される。
さらに好ましい本発明の改良形態では、送信デバイスからの光が、受信デバイスに戻るように光を送出する光ガイド要素に直接当たるように、監視区域における光ガイド要素を介して、光ガイド手段が配置される。たとえば反射体を介して、受信デバイスに光を送出する光ガイドに光が間接的に導かれることも考えられる。本発明のさらに有利な改良形態では、送信光および受信光のための光ガイド要素は、ヘッド部につながる。これは、距離センサ側および監視領域側の両方で行われ得る。ヘッド部は、レンズまたは他の光学要素を備え得る。送信機と受信機の所望のアライメントは、こうして保証され得る。
【００１３】
ヘッド部はまた、電子部品を含み得る。たとえば、電子シャッタ、電子偏光器、および／または電子ダイバータ（スイッチャ）が設けられる。送信機および／または受信機を少なくとも部分的に光ガイドヘッド部内に配置（ｐｌａｃｅ）することも考えられる。ヘッド部は、反射防止層、ｐｏフィルタ、および／または位相差層を備え得る。
【００１４】
それにより、光が確実に導かれることが保証される。
以降に続く本発明の有利な改良形態では、送信光と受信光とのアライメントが、ヘッド部において明らかに異なる、および／または、設定され得るように、配向手段が設けられる。光ガイドは、通常大幅に曲げられることができない。これは、好ましい方向でない方向においてヘッド要素内に到達する光ガイドの場合、出ていく光の方向を所望の方向に変換するために、比較的多くの空間領域が必要とされることを意味する。それ故に、所望の方向に光が入るかまたは出ることを保証するために、光学部品がヘッド部内に設けられ得る。
【００１５】
光学ユニットが、光を光ガイド内に結合するために使用され得る。同様に考えられることは、こうしたシステムを光ガイドの光出口区域において、および／または、出口区域から監視される対象物までの光の経路上において使用することである。こうした光学要素は、監視されるべき監視領域を光が正確に照射するように、少なくとも部分的に光を収束させるかまたは拡張させ得る。
【００１６】
さらなる光学要素は、たとえば、より多くの光を光ガイド内に導入し、それにより、信号対雑音比を改善させるために使用され得る。測定精度は、監視されることが意図される表面だけに正確に照射することによって向上し得る。
【００１７】
ヘッド要素内への光ガイド手段のつながりは、好ましくは、光がいかなる光学遮断部にも遭遇しないように構成される。そのために、ヘッド部は、たとえば、光ガイド手段に接着されるかまたは溶接されることができる、あるいは、ヘッド部は、光ガイド手段と一部品で生産される。
【００１８】
こうして、送信機からの光は、より効率的に光ガイド手段に結合され得る。さらに、干渉性反射は、光が光ガイド手段に入るかまたは光ガイド手段から出るときに回避され得る。これにより、システムの「光学効率（ｏｐｔｉｃａｌ ｅｆｆｉｃｉｅｎｃｙ）」が改善する。
【００１９】
基本的に、光ガイド手段は、所望の長さで切離されて、その後、センサまたはヘッド部に結合され得るように構成され得る。
したがって、顧客固有の解決策が、より容易に実施され得る。
【００２０】
さらに、光ガイド手段を互いに結合する結合手段が利用可能であることが実現され得る。送信機デバイスと監視されるべき領域との間の距離の非常に広い範囲が、この手段によってカバーされ得る。
【００２１】
適切には、共に差し込むことまたはスナッピング（ｓｎａｐｐｉｎｇ）することだけで結合を行うことが可能であり、このことは、光ガイド手段の長さを調整する全体のプロセスをさらに簡略化する。
【００２２】
本発明のさらなる好ましい改良形態では、装置は、受信光の光強度および／または測定距離が、所定の閾値を下回るかまたは所定の閾値を上回ると、所定の手段を講じるように設計される。
【００２３】
さらに、所定の閾値が設定され得るか、および／または、装置自身が、閾値に適応しようとすると好ましい。
こうした改良は、顧客が望むように光ガイド手段の長さを変更できるときにはいつでも、特に好ましい。たとえばファイバ光学光ガイドの長さが変更される場合、光についての測定距離も変わるため、光の減衰挙動も変わる。閾値が、これらの変化した状況に適応することが可能であるべきである。システムは、好ましくは、それ自体、光ガイド手段の長さおよび／またはそれに依存するパラメータを確定することが可能である。好ましい改良形態では、本発明の装置は、この目的のためにプロトコルを生成する。
【００２４】
これらの対策は、センサ装置の使用を、より信頼性があるものにし、かつより簡単にする。
光ガイドの長さを確定するために、たとえば、光について種々の変調周波数または基本周波数が使用される。
【００２５】
この背景には、光ガイドが、光の周波数の違いによって振舞いが異なり、そのために、光ガイドの絶対長を確定することが可能であるということがある。
異なる構成の光ガイドが使用され得る。たとえばモノモード光ガイドおよびマルチモード光ガイドが使用され得る。モノモードファイバは、モノモード光ガイドで使用される。こうしたファイバについてただ１つ可能性のある光経路が存在する。そのため、所与の周波数について、飛行時間差は発生せず、これは、高速データ転送および正確な距離測定に有利である。
【００２６】
マルチモード光ガイドでは、光は、異なる角度で反射し、これは、個々の光成分の飛行時間差をもたらし得る。比較において光のモードを意図的に利用することによって、光ガイドの長さをそこから計算することが可能である。さらに、監視領域に光を誘導する光ガイドが、ヘッド部において反射光用の光ガイド内に直接結合されるときが好ましい。光ガイドの長さは、こうして容易に確定され得る。
【００２７】
マルチモード光ガイドが適用される場合、光ガイドの内部で光が戻り得る経路である異なる経路に関して、測定距離を補正することが好ましい。この目的のために、例として、センサおよび／または対象物表面によってとらえられる光ガイドの有効長を確定するために、参照測定が実行され得る。こうした参照測定は、こうしたシステムの設置中または生産中に行われ得る。マルチモード光ガイドは、コストが大きいことは確かだが、光を光ガイド内に結合することを容易にする。
【００２８】
好ましくは、＜５０μｍ、特に＜２０μｍ、たとえば同様に＜１０μｍのコア径を有する光ファイバを使用する。それにより、少数のモードによる光ガイドをもたらす。
光ガイドが、断面にわたって可変屈折率を有するとき、特に屈折率が外部に対して小さいとさらに好ましい。これは、マルチモード光ガイドと関連して特に興味深い。その理由は、この対策が、光ガイド内でそれほど反射されない光と、相応して長い経路によって多重反射された光との間の飛行時間差の減少をもたらすからである。これは、光学的に密度の低い媒体内では、光がより速い速度を有するという原理に基づく。屈折率が外部に向かって低くなる場合、光は、それらの領域をより高速に通過し、これは、外側領域で多重反射されてそれによって、より長い経路上を進む光にとっては特に利益がある。
【００２９】
光ガイド、特に光ファイバが、使用されるべき周波数に対して最適化されるとさらに好ましい。
光ガイドの種々のモードの飛行時間差は、こうしてできる限り小さく維持され得る。
【００３０】
さらに好ましい本発明の改良形態では、光ガイドの端部は、マイクロレンズを備える。
たとえばセンサに対する光ガイドの光ファイバの結合は、それにより改善され得る。たとえばフレネルレンズまたは勾配屈折率マイクロレンズが、レンズとして適用され得る。
【００３１】
さらに、光源が比較的小さな放射角度を有すると好ましい。例として、バラスダイオードまたは特に小さな放射角度を有するダイオードが使用される。同様に、レーザまたはビクセル（ｖｃｓｅｌ）、ビクセル（ｖｃｓｅｌ）コンポーネントが考えられる。
【００３２】
同様に、適切なフィルタ、たとえばバンドパスフィルタの使用による帯域幅減少が可能である。
ＬＥＤは、基本的に、光源として比較的費用に対しての効果があるが、大きな放射コーンを有し、これは、光ファイバ内への結合をより難しくする。対照的に、レーザは、費用がかかるが、光ガイド、特に光ファイバ内に容易に結合され得る平行光を有する。
【００３３】
光ガイド、たとえば光ファイバによって生じる誤差を補正するために、参照測定を実施することが基本的に可能である。
原理的に、プリント回路板は、はんだ付け、２つの例だが名前を挙げると、特に鉄はんだ付けまたは熱はんだ付けによって光センサ内に固定され得る。プリント回路板は、統合された光ガイド手段および／または光学層を有し得る。
【００３４】
例として、本発明のシステムは、たとえばベッド上に人が存在するか存在しないかを監視するために使用され得る。この場合、本発明のシステムは、たとえば、複数のベッドが、１つのセンサで監視されるか、または、ベッド内の複数のフィールドが、１つのセンサによって監視されるときに特に有利であることがわかる。
【００３５】
複数の例示的な実施形態が、図面に示され、さらなる利点の仕様に関してより詳細に説明される。
【図面の簡単な説明】
【００３６】
【図１】センサ装置と組合せた、従来から知られる自動販売機の一部分について、非常に簡略化された側面線図を示す。
【図２】本発明のセンサ装置を有する自動販売機の、図１で既に線図で示された部分を示す。
【図３】昇降機（ｌｉｆｔ）に配置された本発明のセンサ装置の線図を示す。
【図４】本発明のセンサ装置に基づくドア用の安全システムの線図を示す。
【発明を実施するための形態】
【００３７】
図１は、自動販売機７の互いに分離されている３つの製品格納スロット４、５、６を監視するために、光源２および受信デバイス３からなる距離センサ１を使用する試みがなされた場合を示す。製品１１のスタック８、９、１０は、製品格納スロット４、５、６内に配置される。製品格納スロット５、６には光源２を使用して光ビーム１３、１４が達することができることは事実である一方、製品格納スロット４と５との間の中間壁１２のために、製品スタック１０には達することができない。さらに、受信デバイスは、製品スタック９からの反射光１５だけを検出でき、一方、製品スタック８からの光は、製品格納スロット６と製品格納スロット５との間の中間壁１６のために、受信デバイス３に達することができない。光源２からの光が中間壁１２によって遮断されるため、製品スタック１０から受信デバイス３に光が全く届かない。
【００３８】
結果として、製品スタック９までの距離だけが確定され得る。全ての製品スタックに関して信頼性のある測定を保証できるように図２による本発明のセンサ装置１７が、使用される。
【００３９】
センサ装置１７は同様に、光源２と受信デバイス３とからなる。
光ガイド１８、１９、２０は、光源２から各製品スタックスロット４、５、６までそれぞれつながり、光ガイド２１、２２、２３は、受信デバイス３に戻るようにそれぞれつながる。
【００４０】
その結果、光は、光ガイド１８、１９、２０を介して、光源２から、正確にこうした領域、すなわち監視される製品格納スロット４、５、６まで誘導される。同様に、製品スタック８、９、１０によって再帰反射される監視用光ビームは、光ガイド２１、２２、２３によって受信され、受信デバイス３に導かれる。
【００４１】
光源２を使用して製品スタック８、９、１０の所望の照射を達成するために、各光ガイド１８、１９、２０は、光ガイドヘッド２４を装備し得る。光ガイドヘッド２５は、同様に、各製品スタック８、９、１０から光ガイド２１、２２、２３内への反射光２５の導入を最適化するために設けられる。
【００４２】
各製品スタック８、９、１０の一番上の製品１１までの距離は、たとえば、光源２から受信機３までの光の飛行時間によって、または、光源３からの光に関して変調された振動の位相を評価することによって確定され得る。
【００４３】
スタックの各高さ、したがって、各製品格納スロット４、５、６の充填レベルに関連する結論を得るために、光ガイド１８〜２３について異なる光ガイド長を考慮することが必要である。製品スタックスロット４、５、６に従って空間的に分離した監視領域を監視することは、１つだけの受信デバイスおよび１つだけの光源を使用して光ガイド１８〜２３によって実施され得る。
【００４４】
図３は、距離センサ３２を備えるセンサ装置３１によって監視されるドア開口３０を示す。ドア開口３０は、まず、光ビーム３３、３４によって監視される。光ビームは、光が光ガイド３５、３６を介して光ガイドヘッド３７、３８にそれぞれ導かれることにより前記センサデバイス３１から来るものであり、その後、所望の方向に向けて光ガイドヘッド３７、３８から出る。この目的のために、各光ガイドヘッドは、適切にはさらなる光学部品を備える。加えて、図３に示すように、第３の光ビーム３９が、ドアフレーム間の距離を監視するために使用され得る。
【００４５】
光は、好ましくは、距離センサ３２から発せられる方式で、光ガイド４０を介して光ガイドヘッド４１に導かれ、光ビーム３９として所望の方向に出る。
これらの光ビームを区別するために、２つの光ビーム３３、３４または光円錐体３３、３４について、たとえば、時分割多重で発せられ得るか、または、異なる変調周波数が使用され得る。
【００４６】
ドアの前縁がドアフレームにおける監視領域に近づくと、その前縁は、それ自体対象物として検出されることになる。これを防止するために、２つの光ビーム３３、３４が、互いに比較され得る。両方の光ビームが同じ距離を測定するとき、それはドアであり、そうでなければ対象物であり、それに基づいて、適切には、セキュリティ対策が講じられる。これは、ドアの即座の開放を実施するためであり得る。
【００４７】
ドア開口３０の監視に関する増大するセキュリティ（安全保障）は、追加的な光ビーム３９によって達成されることができる。光ビーム３９については、光ビーム３３、３４のように、適切には多重に発せられるか、または、前記光ビームに対して異なる変調周波数が用いられる。光ビームが使用されて突然の距離変化が素早く測定され、さらに、光ビーム３３、３４が測定する距離が異なるとすぐに、それにより、ドア開口３０における対象物を推測することが可能である。その後、既に上述したように、所定の対策−たとえばドアの即座の開放、が実施され得る。
【００４８】
図４は、ドア４４におけるドア開口４３を監視するために設けられるセンサ装置４２を示す。
ドア４４は、たとえば、図面の平面に垂直な平面内で移動するスライディングドアである。
【００４９】
センサ装置４２は、光源２および受信デバイス３を有する。光源は、領域４９内で真っすぐ下を照射する。センサ装置３は同様に、ドア開口を監視するために、領域５０内で下を向く。光源２にかかる放出光の一部４５は、ミラー要素４６によって、ドア４４の方向に偏向される。光ビーム４５がドアに当たる場合、その光ビームは、反射光４７として反射してミラー要素４８に達し、ミラー要素４８は、光を受信デバイス３に向けて反射する。
【００５０】
ドア開口およびドア開口に関連するドアの移動は共に、１つのセンサを使用してこうして監視され得る。
ミラー要素４６および４８における反射は、鏡面反射および／または全反射であり得る。
【符号の説明】
【００５１】
１  距離センサ
２  光源
３  受信デバイス
４  製品格納スロット
５  製品格納スロット
６  製品格納スロット
７  自動販売機
８  スタック
９  スタック
１０  スタック
１１  製品
１２  中間壁
１３  光ビーム
１４  光ビーム
１５  光
１６  中間壁
１７  センサ装置
１８  光ガイド
１９  光ガイド
２０  光ガイド
２１  光ガイド
２２  光ガイド
２３  光ガイド
２４  光ガイドヘッド
２５  光ガイドヘッド
２６  光
３０  ドア開口
３１  センサ装置
３２  距離センサ
３３  光ビーム
３４  光ビーム
３５  光ガイド
３６  光ガイド
３７  光ガイドヘッド
３８  光ガイドヘッド
３９  光ビーム
４０  光ガイド
４１  光ヘッド
４２  センサ装置
４３  ドア開口
４４  ドア
４５  放出光
４６  ミラー要素
４７  反射光
４８  ミラー要素
４９  領域
５０  領域
【図１】
2012509470.tif 000003
【図２】
2012509470.tif 000004
【図３】
2012509470.tif 000005
【図４】
2012509470.tif 000006
【国際調査報告】
2012509470.tif 000007
2012509470.tif 000008
2012509470.tif 000009
2012509470.tif 000010
2012509470.tif 000011
2012509470.tif 000012
2012509470.tif 000013
2012509470.tif 000014
2012509470.tif 000015
2012509470.tif 000016